(57)【要約】  本発明は、個人が、医療機関のコンピュータの内部情報に電子的に接続することなく、安全に、個人のスマートフォンまたはウェアラブル端末に本人の臨床検査データを手入力以外の方法によりデジタルデータとして入力・保存することを課題とする。  本発明は、医療機関のコンピュータ内で、臨床検査データをバーコード化し、そのバーコードを紙に出力して受診者に手渡すシステム、および受診者がそのバーコードからスマートフォンまたはウェアラブル端末に臨床検査データを自ら取り込むシステムである。または、医療機関のコンピュータ内で、臨書検査データをバーコード化し、そのバーコードをディスプレーに表示し、それを受診者がスマートフォンまたはウェアラブル端末に自ら取り込むシステムである。
2016035877.tif 000002
【特許請求の範囲】
【請求項１】
受診者の臨床データを出力する方法であって、受診者本人がスマートフォンまたはウェアラブル端末の画像撮影装置を介して自己のスマートフォンまたはウェアラブル端末に、バーコード化され紙媒体に出力された当該受診者の臨床データを取り込むための、以下の（１）の工程を含む、前記方法。
（１）医療機関のコンピュータに保存されている受診者の臨床検査データをバーコード化する工程
【請求項２】
受診者の臨床データを出力する方法であって、受診者本人がスマートフォンまたはウェアラブル端末の画像撮影装置を介して自己のスマートフォンまたはウェアラブル端末に自己の臨床データ取り込むための、以下の（１）および（２）の工程を含む、前記方法。
（１）医療機関のコンピュータに保存されている受診者の臨床検査データをバーコード化する工程
（２）工程（１）で得られた当該受診者のバーコードを紙媒体に出力する工程
【請求項３】
以下の（１）〜（３）の工程を含む、受診者の臨床検査データを出力および入力する方法。
（１）医療機関のコンピュータに保存されている受診者の臨床検査データをバーコード化する工程
（２）工程（１）で得られた当該受診者のバーコードを紙媒体に出力する工程
（３）工程（２）で得られた紙媒体に出力されたバーコードを当該受診者本人がスマートフォンまたはウェアラブル端末の画像撮影装置を介して自己のスマートフォンまたはウェアラブル端末に取り込む工程
【請求項４】
受診者の臨床データを表示する方法であって、受診者本人がスマートフォンまたはウェア
ラブル端末の画像撮影装置を介して自己のスマートフォンまたはウェアラブル端末に、バーコード化されディスプレー上に表示された当該受診者の臨床データを取り込むための、以下の（１）の工程を含む、前記方法。
（１）医療機関のコンピュータに保存されている受診者の臨床検査データをバーコード化する工程
【請求項５】
受診者の臨床データを表示する方法であって、受診者本人がスマートフォンまたはウェアラブル端末の画像撮影装置を介して自己のスマートフォンまたはウェアラブル端末に自己の臨床データ取り込むための、以下の（１）および（２）の工程を含む、前記方法。
（１）医療機関のコンピュータに保存されている受診者の臨床検査データをバーコード化する工程
（２）工程（１）で得られた当該受診者のバーコードをディスプレー上に表示する工程
【請求項６】
以下の（１）〜（３）の工程を含む、個人の臨床検査データを表示および入力する方法。
（１）医療機関のコンピュータに保存されている個人の臨床検査データをバーコード化する工程
（２）工程（１）で得られた当該受診者のバーコードをディスプレー上に表示する工程
（３）工程（２）で得られたディスプレー上に表示されたバーコードを当該受診者本人がスマートフォンまたはウェアラブル端末の画像撮影装置を介して自己のスマートフォンまたはウェアラブル端末に取り込む工程
【請求項７】
臨床検査データが、赤血球数、白血球数、血小板数、総蛋白、血糖値、HbA1c、尿酸値、コレステロール、尿蛋白などの尿所見、心電図、肺機能データからなる群から選ばれる１以上であって、画像データではない、請求項１〜６のいずれかに記載の方法。
【請求項８】
受診者の臨床データを出力するシステムであって、受診者本人がスマートフォンまたはウェアラブル端末の画像撮影装置を介して自己のスマートフォンまたはウェアラブル端末に、バーコード化され紙媒体に出力された当該受診者の臨床データを取り込むための、以下の（１）および（２）の手段を含む、前記出力システム。
（１）受診者の臨床検査データを保存する医療機関のコンピュータ
（２）前記保存されている受診者の臨床検査データをバーコード化するシステム
【請求項９】
受診者の臨床データを出力するシステムであって、受診者本人がスマートフォンまたはウェアラブル端末の画像撮影装置を介して自己のスマートフォンまたはウェアラブル端末に自己の臨床データ取り込むための、以下の（１）〜（３）の手段を含む、前記出力システム。
（１）受診者の臨床検査データを保存する医療機関のコンピュータ
（２）前記保存されている受診者の臨床検査データをバーコード化する手段
（３）前記受診者のバーコードを紙媒体に出力する手段
【請求項１０】
以下の（１）〜（４）の手段を含む、受診者の臨床検査データを出力および入力するシステム。
（１）受診者の臨床検査データを保存する医療機関のコンピュータ
（２）前記保存されている受診者の臨床検査データをバーコード化する手段
（３）前記受診者のバーコードを紙媒体に出力する手段
（４）前記紙媒体に出力されたバーコードを取り込むための、画像撮影装置を備えたスマートフォンまたはウェアラブル端末
【請求項１１】
受診者の臨床データを表示するシステムであって、受診者本人がスマートフォンまたはウェアラブル端末の画像撮影装置を介して自己のスマートフォンまたはウェアラブル端末に、バーコード化されディスプレー上に表示された当該受診者の臨床データを取り込むための、以下の（１）および（２）の手段を含む、前記システム。
（１）受診者の臨床検査データを保存する医療機関のコンピュータ
（２）前記保存されている受診者の臨床検査データを保存するバーコード化する手段
【請求項１２】
受診者の臨床データを表示するシステムであって、受診者本人がスマートフォンまたはウェアラブル端末の画像撮影装置を介して自己のスマートフォンまたはウェアラブル端末に自己の臨床データ取り込むための、以下の（１）〜（３）の手段を含む、前記システム。
（１）受診者の臨床検査データを保存する医療機関のコンピュータ
（２）前記保存されている受診者の臨床検査データをバーコード化する手段
（３）前記受診者のバーコードをディスプレー上に表示する手段
【請求項１３】
以下の（１）〜（４）の手段を含む、個人の臨床検査データを表示および入力するシステム。
（１）受診者の臨床検査データを保存する医療機関のコンピュータ
（２）前記保存されている個人の臨床検査データをバーコード化する手段
（３）前記受診者のバーコードをディスプレー上に表示する手段
（４）前記ディスプレー上に表示されたバーコードを取り込むための、画像撮影装置を備えたスマートフォンまたはウェアラブル端末
【請求項１４】
臨床検査データが、赤血球数、白血球数、血小板数、総蛋白、血糖値、HbA1c、尿酸値、コレステロール、尿所見、心電図、肺機能データからなる群から選ばれる１以上であって、画像データではない、請求項８〜１３のいずれかに記載のシステム。
【発明の詳細な説明】
【技術分野】
【０００１】
本発明は、受診者の臨床検査データを出力および入力する方法に関する。より詳しくは、医療機関に保存された個人の臨床検査データをバーコードを介し、受診者のスマートフォンまたはウェアラブル端末へ取り込む方法およびこれを実現するシステムに関する。
【背景技術】
【０００２】
近い将来、多くの人々が健康維持のため自分のスマートフォンまたはウェアラブル端末に臨床検査データを取り込み携帯するようになると考えられる。自分の臨床検査の１時点のデータ、または時間経過をグラフで見ることにより、食事の内容を検討したり運動量をコントロールする際の参考にするためである。
ところで、臨床検査データのほとんどは、医療機関に受診した際に発生する。そして、医療機関はカルテ、またはコンピュータ内に臨床検査データを保存する。医療従事者も受診者のために、それらを活用するが、受診者も自分の臨床検査データを利用することを望んでいる。
１時点のデータの場合、受診者は血糖値が高ければ運動を増やしたり食事中のカロリーを減らしたりすることにより健康維持が可能である。具体的には、受診者は血清尿酸値が高ければプリン体を多く含む食品を減らして高尿酸血症を是正することが可能である。また、癌マーカーの増加が著明であれば、受診者は、更に、癌の確定のための検査を受け入れるか判断することが可能である。
また、２時点以上のデータで、時間経過を見ることが可能であれば、受診者は血清尿酸値が増加傾向であれば、これまでより血清尿酸値が高くならないような生活習慣を心がけることが望ましい。また、受診者が癌患者の場合、癌マーカーが次第に増加していれば、癌の更なる治療法を受け入れるべきかを判断する材料となる。
個人の臨床検査データは医療機関のコンピュータに保存されていることが多く、医療従事者（主として医師）は、紙にプリントされた、あるいはディプレイに表示された臨床検査データを参考に診断や治療を行う。臨床検査データを受診者に伝える場合は、単に口頭で伝える場合や、紙やディスプレーに表示されたものを見せるのみの場合もあるが、それでは受診者が忘れやすいため、通常、紙にプリントされた臨床検査データが受診者に手渡されることも多い。ところが、受診者がそのデータを自分のスマートフォンまたはウェアラブル端末に取り込みたい場合、受診者が自分のスマートフォンまたはウェアラブル端末にそのデータを手で入力することもできるが、紙にプリントされたデータを手で入力することは面倒であり、また、入力時の誤りが多いという問題がある。
ところで、バーコードを使う方法として、例えば次のような方法が知られている。客が店舗で商品を購入して発送する場合に、個人データである氏名、住所、電話番号等を発送伝票に入力するミスを防いだり手間を省くために、バーコードを利用する方法である（特許文献１）。この方法は、携帯電話においてあらかじめ登録している個人データ（住所、氏名、電話番号等）を携帯電話の液晶画面にバーコードで表示し、店舗の端末（ＰＯＳ）を使用してスキャナーで携帯電話のバーコードをスキャンして読み取り、端末（ＰＯＳ）に個人データを取り込むという方法である。そしてそのバーコードのままの個人データが書き込まれた発送伝票をプリンターで出力するというものである。あるいは、画像認識機能を用いて文字情報に変換して、文字情報が書き込まれた発送伝票をプリンターで出力するというものである。本先行特許文献発明は、あくまでも個人の住所等を対象としており、臨床検査データとは根本的に異なる。臨床検査データはこれらの個人情報とは異なり、個人が記憶できないほど大きく、また、時間とともに変化し、その変化が重要である。更には、臨床検査データの倫理問題は個人の健康や生命に関係するため非常に大きい。
【先行技術文献】
【特許文献】
【０００３】
【特許文献１】特開２００４−１７８２９５号公報
【発明の概要】
【発明が解決しようとする課題】
【０００４】
したがって、スマートフォンまたはウェアラブル端末にデータを正しく入れる最適な方法は、医療機関のコンピュータから直接、受診者のスマートフォンまたはウェアラブル端末にケーブルやワイヤレス通信などの方法で転送することである。しかし、これは困難である。
医療機関のコンピュータは外部のコンピュータや電話装置などとの接続を厳密に禁じているからである。その理由は受診者などが持つ外部のデバイスとのデータのやり取りにより、医療機関の内部データが漏洩したり、受診者のデバイスからウイルスが混入したりした経験からである。そのため医療機関全体の診療が困難になる場合も稀ではない。
以上から、本発明は、個人が、医療機関のコンピュータの内部情報に電子的に接続することなく、安全に、個人のスマートフォンまたはウェアラブル端末に本人の臨床検査データを手入力以外の方法により入力し、デジタルデータとして保存することを課題とする。
【課題を解決するための手段】
【０００５】
本発明は、医療機関のコンピュータ内で、臨床検査データをバーコード化し、そのバーコードを紙に出力して受診者に手渡すシステム、および受診者がそのバーコードからスマートフォンまたはウェアラブル端末に臨床検査データを自ら取り込むシステムである。
または、医療機関のコンピュータ内で、臨書検査データをバーコード化し、そのバーコードをディスプレーに表示し、それを受診者がスマートフォンまたはウェアラブル端末に自ら取り込むシステムである。
具体的には、以下が挙げられる。
＜１＞
受診者の臨床データを出力する方法であって、受診者本人がスマートフォンまたはウェアラブル端末の画像撮影装置を介して自己のスマートフォンまたはウェアラブル端末に、バーコード化され紙媒体に出力された当該受診者の臨床データを取り込むための、以下の（１）の工程を含む、前記方法。
（１）医療機関のコンピュータに保存されている受診者の臨床検査データをバーコード化する工程
＜２＞
受診者の臨床データを出力する方法であって、受診者本人がスマートフォンまたはウェアラブル端末の画像撮影装置を介して自己のスマートフォンまたはウェアラブル端末に自己の臨床データ取り込むための、以下の（１）および（２）の工程を含む、前記方法。
（１）医療機関のコンピュータに保存されている受診者の臨床検査データをバーコード化する工程
（２）工程（１）で得られた当該受診者のバーコードを紙媒体に出力する工程
＜３＞
以下の（１）〜（３）の工程を含む、受診者の臨床検査データを出力および入力する方法。
（１）医療機関のコンピュータに保存されている受診者の臨床検査データをバーコード化する工程
（２）工程（１）で得られた当該受診者のバーコードを紙媒体に出力する工程
（３）工程（２）で得られた紙媒体に出力されたバーコードを当該受診者本人がスマートフォンまたはウェアラブル端末の画像撮影装置を介して自己のスマートフォンまたはウェアラブル端末に取り込む工程
＜４＞
受診者の臨床データを表示する方法であって、受診者本人がスマートフォンまたはウェアラブル端末の画像撮影装置を介して自己のスマートフォンまたはウェアラブル端末に、バーコード化されディスプレー上に表示された当該受診者の臨床データを取り込むための、以下の（１）の工程を含む、前記方法。
（１）医療機関のコンピュータに保存されている受診者の臨床検査データをバーコード化する工程
＜５＞
受診者の臨床データを表示する方法であって、受診者本人がスマートフォンまたはウェアラブル端末の画像撮影装置を介して自己のスマートフォンまたはウェアラブル端末に自己の臨床データ取り込むための、以下の（１）および（２）の工程を含む、前記方法。
（１）医療機関のコンピュータに保存されている受診者の臨床検査データをバーコード化する工程
（２）工程（１）で得られた当該受診者のバーコードをディスプレー上に表示する工程
＜６＞
以下の（１）〜（３）の工程を含む、個人の臨床検査データを表示および入力する方法。
（１）医療機関のコンピュータに保存されている個人の臨床検査データをバーコード化する工程
（２）工程（１）で得られた当該受診者のバーコードをディスプレー上に表示する工程
（３）工程（２）で得られたディスプレー上に表示されたバーコードを当該受診者本人がスマートフォンまたはウェアラブル端末の画像撮影装置を介して自己のスマートフォンまたはウェアラブル端末に取り込む工程
＜７＞
臨床検査データが、赤血球数、白血球数、血小板数、総蛋白、血糖値、HbA1c、尿酸値、コレステロール、尿蛋白などの尿所見、心電図、肺機能データからなる群から選ばれる１以上であって、画像データではない、請求項１〜６のいずれかに記載の方法。
＜８＞
受診者の臨床データを出力するシステムであって、受診者本人がスマートフォンまたはウェアラブル端末の画像撮影装置を介して自己のスマートフォンまたはウェアラブル端末に、バーコード化され紙媒体に出力された当該受診者の臨床データを取り込むための、以下の（１）および（２）の手段を含む、前記出力システム。
（１）受診者の臨床検査データを保存する医療機関のコンピュータ
（２）前記保存されている受診者の臨床検査データをバーコード化するシステム
＜９＞
受診者の臨床データを出力するシステムであって、受診者本人がスマートフォンまたはウェアラブル端末の画像撮影装置を介して自己のスマートフォンまたはウェアラブル端末に自己の臨床データ取り込むための、以下の（１）〜（３）の手段を含む、前記出力システム。
（１）受診者の臨床検査データを保存する医療機関のコンピュータ
（２）前記保存されている受診者の臨床検査データをバーコード化する手段
（３）前記受診者のバーコードを紙媒体に出力する手段
＜１０＞
以下の（１）〜（４）の手段を含む、受診者の臨床検査データを出力および入力するシステム。
（１）受診者の臨床検査データを保存する医療機関のコンピュータ
（２）前記保存されている受診者の臨床検査データをバーコード化する手段
（３）前記受診者のバーコードを紙媒体に出力する手段
（４）前記紙媒体に出力されたバーコードを取り込むための、画像撮影装置を備えたスマートフォンまたはウェアラブル端末
＜１１＞
受診者の臨床データを表示するシステムであって、受診者本人がスマートフォンまたはウェアラブル端末の画像撮影装置を介して自己のスマートフォンまたはウェアラブル端末に、バーコード化されディスプレー上に表示された当該受診者の臨床データを取り込むための、以下の（１）および（２）の手段を含む、前記システム。
（１）受診者の臨床検査データを保存する医療機関のコンピュータ
（２）前記保存されている受診者の臨床検査データを保存するバーコード化する手段
＜１２＞
受診者の臨床データを表示するシステムであって、受診者本人がスマートフォンまたはウェアラブル端末の画像撮影装置を介して自己のスマートフォンまたはウェアラブル端末に自己の臨床データ取り込むための、以下の（１）〜（３）の手段を含む、前記システム。
（１）受診者の臨床検査データを保存する医療機関のコンピュータ
（２）前記保存されている受診者の臨床検査データをバーコード化する手段
（３）前記受診者のバーコードをディスプレー上に表示する手段
＜１３＞
以下の（１）〜（４）の手段を含む、個人の臨床検査データを表示および入力するシステム。
（１）受診者の臨床検査データを保存する医療機関のコンピュータ
（２）前記保存されている個人の臨床検査データをバーコード化する手段
（３）前記受診者のバーコードをディスプレー上に表示する手段
（４）前記ディスプレー上に表示されたバーコードを取り込むための、画像撮影装置を備えたスマートフォンまたはウェアラブル端末
＜１４＞
臨床検査データが、赤血球数、白血球数、血小板数、総蛋白、血糖値、HbA1c、尿酸値、コレステロール、尿所見、心電図、肺機能データからなる群から選ばれる１以上であって、画像データではない、請求項８〜１３のいずれかに記載のシステム。
【発明の効果】
【０００６】
本発明は以下の効果を有する。
（１）手入力によりデータを入力しないため、エラーを生じにくい
（２）個人情報保護などの点から問題がない
現在でも印刷された個人のデータを医師が受診者本人に手渡すことは日常診療で行われており、これをバーコードに変換し手渡すことには個人情報保護の面から問題は生じない。
（３）医療機関のコンピュータと受診者のデバイスを電子的に繋いでいないのでコンピュータ障害が起きにくい。
本発明は、臨床検査データ以外の目的のバーコード使用とは根本的に異なる。第一に、臨床検査データは個人の住所や電話番号などの個人情報とは異なり、個人が記憶できないほど大きい。次に、臨床検査データは時間とともに変化し、その変化が重要である。更には、臨床検査データの倫理問題は個人の健康や生命に関係するため非常に大きい。
【図面の簡単な説明】
【０００７】
【図１】医療機関のコンピュータに保存された受診者の臨床検査データをバーコード化し、ディスプレイ上に表示させたり、紙に印刷し、受診者に渡す態様をイメージ化した図である。
【図２】紙に印刷されたバーコードを受診者が自身のスマートフォンに取り込む工程を示す図である。この図はスマートフォンの場合を示すが、スマートフォンのかわりにウェアラブル端末を用いても良い。
【図３】ディスプレー上に表示されたバーコードを、受診者が自身のスマートフォンに取り込む工程を示す図である。この図はスマートフォンの場合を示すが、スマートフォンのかわりにウェアラブル端末を用いても良い。
【図４】バーコード化されたデータがスマートフォンに取り込まれた状態のスマートフォンの画面を示す図である。この図はスマートフォンの場合を示すが、スマートフォンのかわりにウェアラブル端末を用いても良い。
【図５】スマートフォンに取り込まれたバーコードのデータが、実際の臨床検査のデジタルデータに復元された状態を示すスマートフォンの画面を示す図である。この図はスマートフォンの場合を示すが、スマートフォンのかわりにウェアラブル端末を用いても良い。
【図６】取り込んだ臨床検査データを自分のスマートフォン内のデータとして登録したことを示すスマートフォンの画面を示す図である。この図はスマートフォンの場合を示すが、スマートフォンのかわりにウェアラブル端末を用いても良い。
【図７】取り込んだ臨床検査データを自分のスマートフォン内のデータとして登録したことを示すスマートフォンの画面を示す図である。この図はスマートフォンの場合を示すが、スマートフォンのかわりにウェアラブル端末を用いても良い。
【図８】スマートフォン内に存在する以前の自分の臨床検査データと今回取り込んだ臨床検査データを共にグラフ化するアプリケーションにより、時間経過をグラフ表示させた状態のスマートフォンの画面を示す。この図はスマートフォンの場合を示すが、スマートフォンのかわりにウェアラブル端末を用いても良い。
【図９】図１に示した医療機関におけるシステム構成を示す図である。
【図１０】バーコードを読み取るスマートフォンの構成を示す構成図である。
【図１１】バーコードを介した臨床検査データの読取処理の手順を示すフローチャートである。
【図１２】スマートフォンによる臨床検査データの利用について説明図である。
【発明を実施するための形態】
【０００８】
臨床検査データは個人にとって重要である。個人の臨床検査データは医療機関のコンピュータに保存されていることが多く、現在は、それが紙にプリントされ受診者に手渡される。受診者が自分のスマートフォンまたはウェアラブル端末にそのデータを入力できれば好都合であるが、紙にプリントされたデータを手で入力することは面倒であり、入力時の誤りが多い。誤りを避ける最適な方法は医療機関のコンピュータから直接、受診者のスマートフォンまたはウェアラブル端末に、ケーブルを介したり、ワイヤレス通信を介したりして転送することであるがこれは困難である。医療機関のコンピュータは外部のコンピュータや電話装置などとの接続を厳密に禁じているからである。その理由は受診者などが持つ外部のデバイスとのデータのやり取りにより、内部データが漏洩したり、ウイルスが混入したりした経験からである。
本発明は、医療機関のコンピュータ内の臨床検査データをバーコード化し、そのバーコード化されたデータを紙に出力して受診者に手渡すシステムである。受診者はそのバーコード化された臨床検査データを、自らスマートフォンまたはウェアラブル端末に取り込み自己の健康管理のために利用することができる。
また、医療機関側はバーコードを紙に出力する代わりに、ディスプレーに表示して、表示されたバーコードを受診者がスマートフォンまたはウェアラブル端末で撮影し、データを取り込んでも良い。
【０００９】
（スマートフォン、ウエアラブル端末）
本発明でいうスマートフォンとは、多機能携帯電話をいう。
本発明でいうウェアラブル端末とは、身につけて持ち歩くことが出来るコンピュータのことをいい、ウェアラブルデバイス、ウェアラブルコンピュータと呼ばれることもある。
【００１０】
（バーコード化する方法）
臨床検査データの文字や数字データをバーコードに変換し、復元するシステムは既存のものでも良いし、新たに開発したものでも良い。医療機関が個人の臨床検査データをバーコードに変換することは簡単なコンピュータプログラムで可能である。
本願明細書中、バーコードは、特に断らない限りは2次元コードを意味し、線状体で示される狭義の意味のバーコードはもちろんのこと、ＱＲコード（登録商標）をも含む意味で用いられる。
【００１１】
（スマートフォンまたはウェアラブル端末にバーコード情報を取り込む方法）
紙に印刷されたバーコードや、医療機関のコンピューター画面に表示されたバーコードをスマートフォンまたはウェアラブル端末に取り込む手段・方法は、既存の手段・方法でもよいし、新たに開発したものでもよい。具体的には、スマートフォンまたはウェアラブル端末の画像撮影装置で撮影し、それをデジタルデータに復元する手段・方法が挙げられる。
【００１２】
（臨床検査データ）
臨床検査データとしては、赤血球数、白血球数、血小板数などの血液学的データ、総蛋白、血糖値、HbA1c、尿酸値、コレステロールなどの血液生化学データ、尿たんぱくなどの尿所見、心電図、肺機能データなどの生理学的検査データを含むが、画像データなどは含まない。
【実施例】
【００１３】
本発明の実施方法を説明する。
図１に、医療機関のコンピュータに保存された個人の臨床試験等の検査データをバーコード化し、受診者にバーコード化された情報を手渡すまでの手順を示す。
（１）医療機関には受診者の臨床検査データを保存するコンピュータがあり、当該保存された臨床検査データをバーコード化するソフトウェアがある。医療機関の職員（多くの場合は医師）は、バーコード化された臨床検査データを紙に印刷する。この時、生の臨床検査データ（バーコード化されていないデータ）も同時に印刷してもよいし、しなくてもよい。
（２）図１のように、医療機関の職員はバーコードの印刷された紙を受診者に手渡す。
（３）図１のように、医療機関の職員はバーコードをディスプレー上に表示し、それを受診者が直接、自分のスマートフォンで撮影することもできる。この図はスマートフォンの場合を示すが、スマートフォンのかわりにウェアラブル端末を用いても良い。【００１４】
図２に、紙に印刷されたバーコードを、受診者が自分のスマートフォンに取り込む状態を示す。受診者は、スマートフォンに具備された撮影装置により、撮影することで取り込むことができる。また、スキャナー機能を備えていれば、当該機能により取り込むことも可能である。この図はスマートフォンの場合を示すが、スマートフォンのかわりにウェアラブル端末を用いても良い。【００１５】
図３に、ディスプレー上に表示されたバーコードを受診者が直接自分のスマートフォンに取り込む状態を示す。受診者は、スマートフォンに具備された撮影装置により、撮影することで取り込むことができる。この図はスマートフォンの場合を示すが、スマートフォンのかわりにウェアラブル端末を用いても良い。【００１６】
図４に、バーコードのデータがスマートフォンに取り込まれた状態のスマートフォンの画面を示す。また、図５に、取り込まれたバーコードのデータが、実際の臨床検査データ（デジタルデータ）に復元された状態のスマートフォンの画面を示す。この図はスマートフォンの場合を示すが、スマートフォンのかわりにウェアラブル端末を用いても良い。【００１７】
図６および図７は、デジタルデータとして復元された臨床検査データを自分のスマートフォン内のデータとして登録したことを示すスマートフォンの画面を示す。この図はスマートフォンの場合を示すが、スマートフォンのかわりにウェアラブル端末を用いても良い。【００１８】
図８は、スマートフォン内に存在する以前の自分の臨床検査データと今回取り込んだ臨床検査データを共にグラフ化するアプリケーションにより、時間経過をグラフ表示させた状態のスマートフォンの画面を示す。この図はスマートフォンの場合を示すが、スマートフォンのかわりにウェアラブル端末を用いても良い。【００１９】
このように、本発明は、医療機関のコンピュータ内の臨床検査データをバーコード化する工程を含む方法である。また、そのバーコード化されたデータを紙に出力して受診者に手渡す工程を含む方法である。さらには、紙に出力されたバーコードを当該受診者本人がスマートフォンまたはウェアラブル端末の画像撮影装置を介して自己のスマートフォンまたはウェアラブル端末に取り込む工程を含む方法である。
また、医療機関側はバーコードを紙に出力する代わりに、ディスプレーに表示して、表示されたバーコードを受診者がスマートフォンまたはウェアラブル端末で撮影し、データを取り込む方法であってもよい。【００２０】
次に、図１に示した医療機関におけるシステム構成について説明する。図９は、図１に示した医療機関におけるシステム構成を示す図である。図９に示すように、コンピュータ１０には端末１４が接続され、端末１４には入力デバイス１５、ディスプレー１６及びプリンター１７が接続される。【００２１】
コンピュータ１０は、例えば医療機関に１つ設置され、医療機関の各種データを統合管理する。端末１４は、例えば医療機関の複数の職員が同時に操作可能となるように複数設けられる。【００２２】
コンピュータ１０は、その内部に記憶部１１及び制御部１２を有する。記憶部１１は、ハードディスク装置や不揮発性メモリ等の記憶デバイスであり、複数の臨床検査データを記憶する。この臨床検査データは、受診者の識別情報等と対応付けておく。【００２３】
制御部１２は、ＣＰＵ（Central Processing Unit）等の演算処理装置であり、所定のアプリケーションプログラムを実行することで、アプリケーションプログラムに対応する機能を実現することができる。【００２４】
図９では、制御部１２は、臨床検査データをバーコード化するアプリケーション１３を実行している。アプリケーション１３は、制御部１２により実行されることで、データ選択部１３ａ及びバーコード化処理部１３ｂの機能を実現する。【００２５】
データ選択部１３ａは、臨床検査データから出力対象となるデータを選択する処理部である。例えば、職員が端末１４を操作し、特定の受診者を指定したならば、データ選択部１３ａは、指定された受診者に対応付けられた臨床検査データを選択する。このとき、指定された受診者に対応付けられた全ての臨床検査データを選択してもよいし、所定の条件を満たす臨床検査データを抽出してもよい。例えば、バーコード化が可能であること、検査結果が正常の範囲を逸脱していること、特定の疾病に関連する検査項目であること、などを条件として用いることができる。【００２６】
バーコード化処理部１３ｂは、データ選択部１３ａにより選択された臨床検査データをバーコードに符号化する処理部である。バーコード化処理部１３ｂは、符号化により生成されたバーコードを要求元の端末１４に送信する。【００２７】
端末１４は、医療機関の職員により操作され、コンピュータ１０が管理する各種データへのアクセスを行う。入力デバイス１５は、キーボードやマウスなど、職員による操作入力に用いられる入力インタフェースである。また、ディスプレー１６は、各種データの表示出力に用いられる出力インタフェースであり、プリンター１７は、各種データの印刷出力に用いられる出力インタフェースである。【００２８】
端末１４は、例えば受診者を指定し、対応する臨床検査データをコンピュータ１０から取得することができる。また、対応する臨床検査データの一部又は全てをコンピュータ１０にバーコード化させて取得することができる。【００２９】
端末１４は、取得した臨床検査データやバーコードをディスプレー１６に表示出力する。また、取得した臨床検査データやバーコードをプリンター１７に印刷させることもできる。受診者は、このように表示又は印刷されたバーコードをスマートフォンなどにより読み取ることになる。【００３０】
図１０は、バーコードを読み取るスマートフォンの構成を示す構成図である。図１０に示すように、スマートフォン２０は、カメラ２１、入力部２２、表示部２３、記憶部２４及び制御部２５を有する。【００３１】
カメラ２１は、バーコードの撮影に用いられる撮影装置である。入力部２２は、受診者による入力操作に用いられるキーやタッチパネルなどの入力インタフェースである。表示部２３は、液晶パネルなどの出力インタフェースである。入力部２２と表示部２３は、タッチパネルディスプレイとして一体化したものであってもよい。この他、スマートフォン２０は、音声出力インタフェース、音声入力インタフェース、通信インタフェース等を有する。【００３２】
記憶部２４は、ハードディスク装置や不揮発性メモリ等の記憶デバイスであり、複数の臨床検査データを記憶する。この臨床検査データは、バーコードを介して取得され、登録されたものである。また、臨床検査データには、その検査の日付等を対応付けることが好適である。【００３３】
制御部２５は、ＣＰＵ等の演算処理装置であり、所定のアプリケーションプログラムを実行することで、アプリケーションプログラムに対応する機能を実現することができる。【００３４】
図１０では、制御部２５は、臨床検査データを処理するアプリケーション２６を実行している。アプリケーション２６は、制御部２５により実行されることで、バーコード読取部２６ａ、臨床検査データ復元部２６ｂ、データ登録部２６ｃ及びデータ出力部２６ｄの機能を実現する。【００３５】
バーコード読取部２６ａは、カメラ２１により撮影された画像からバーコードを検出して読み取る処理部である。臨床検査データ復元部２６ｂは、読み取られたバーコードを復号することで、臨床検査データを復元する処理部である。【００３６】
データ登録部２６ｃは、臨床検査データ復元部２６ｂにより復元された臨床検査データを記憶部２４に登録する処理を行う。このとき、臨床検査データ自体に検査日が含まれているならば、データ登録部２６ｃは検査日を臨床検査データに対応付けて登録する。臨床検査データ自体に検査日が含まれていなければ、データ登録部２６ｃは受診者から入力された検査日、若しくは臨床検査データを読み取った日付を臨床検査データに対応付けて登録する。【００３７】
データ出力部２６ｄは、臨床検査データを出力する処理部である。データ出力部２６ｄは、臨床検査データ復元部２６ｂにより復元された臨床検査データをそのまま表示部２３に表示制御することができる。また、記憶部２４に登録された複数の臨床検査データと日付に基づいて、検査値の変化を示すグラフを生成し、表示部２３に表示制御することができる。【００３８】
次に、バーコードを介した臨床検査データの読取処理の手順について説明する。図１１は、バーコードを介した臨床検査データの読取処理の手順を示すフローチャートである。まず、コンピュータ１０のデータ選択部１３ａは、端末１４により指定された受診者の臨床検査データを選択する（ステップＳ１０１）。【００３９】
コンピュータ１０のバーコード化処理部１３ｂは、データ選択部１３ａにより選択された臨床検査データをバーコード化する（ステップＳ１０２）。これにより得られたバーコードは、ディスプレー１６又はプリンター１７により出力される（ステップＳ１０３）。【００４０】
スマートフォン２０のカメラ２１は、出力されたバーコードを撮影する（ステップＳ２０１）。撮影されたバーコードは、バーコード読取部２６ａにより読み取られる。臨床検査データ復元部２６ｂは、バーコードを復号することで（ステップＳ２０２）、臨床検査データを復元する（ステップＳ２０３）。データ登録部２６ｃは、復元された臨床検査データを記憶部２４に登録し（ステップＳ２０４）、処理を終了する。【００４１】
次に、スマートフォン２０による臨床検査データの利用について説明する。図１２は、スマートフォン２０による臨床検査データの利用について説明図である。スマートフォン２０は、複数の医療機関からそれぞれ臨床検査データを取得し、蓄積することができる。【００４２】
図１２では、医療機関Ｃ１と医療機関Ｃ２でそれぞれ検査を行い、得られた臨床検査データをスマートフォン２０に蓄積した状態を示している。このように、医療機関が異なる場合であっても、同一の検査項目について検査結果を蓄積すれば、その時間変化をグラフなどにより示すことができる。【００４３】
また、複数の臨床検査データから将来の検査値の変化を予測し、表示することも可能である。変化の予測結果を表示する場合には、その表示態様を異ならせることが好適である。図１２では、臨床検査データに示された検査値の時間変化を実線で示し、検査値の変化の予測結果を破線で示している。【００４４】
なお、異なる医療機関から臨床検査データを取得した場合には、医療機関によって表示態様を異ならせるようにしてもよい。【００４５】
さらに、スマートフォン２０に蓄積された臨床検査データは、医療機関側に提供することもできる。図１２に示したように、スマートフォン２０が臨床検査データをバーコード化して表示すれば、医療機関Ｃ３においてバーコードを撮影し、臨床検査データを読み取ることができる。【００４６】
上述してきたように、本実施例に係る方法によれば、バーコードを介して臨床検査データの受け渡しを行なうので、個人情報を保護し、高いセキュリティを維持しつつ、正確にデータを受け渡すことができる。【００４７】
なお、本発明は上記実施例に限定されるものではなく、適宜変形して実施することができる。例えば、バーコード化する臨床検査データを決定する場合に、受診者によって異なる検査項目を選択するように構成してもよい。具体的には、受診者自身が予め設定した検査項目が常にバーコード化の対象に含まれるように構成することができる。また、受診者自身が予め設定した検査項目に関連する項目については、自動的に選択されるようにしてもよい。また、既にスマートフォンなどに登録された臨床検査データにおいて、適正範囲を逸脱した検査項目が存在する場合には、その検査項目を自動的に選択するようにしてもよい。【００４８】
また、複数の医療機関が連携し、安全な通信回線でデータの送受信が可能であれば、他の医療機関が保管する臨床検査データを取得してバーコード化し、出力することができるようにしてもよい。このときには、バーコード化の対象となるデータを選択的に取得し、受診者に提供した後には、他の医療機関から取得した臨床検査データは削除することが好適である。また、このようなセキュアな環境が実現されていることを条件に、他の医療機関からの臨床検査データの取得をおこなうこととしてもよい。
【産業上の利用可能性】
【００４９】
本発明は、個人が、医療機関のコンピュータの内部情報に電子的に接続することなく、安全に、個人のスマートフォンまたはウェアラブル端末に本人の臨床検査データを手入力以外の方法により入力し、かつ、デジタルデータとして保存することができる。そして、デジタルデータは、経時的に測定したデータを合わせて表示させたり、グラフ化したりして、自己の健康管理に役立てることができる。
【符号の説明】
【００５０】
１０  コンピュータ
１１、２４  記憶部
１２、２５  制御部
１３、２６  アプリケーション
１３ａ  データ選択部
１３ｂ  バーコード化処理部
１４  端末
１５  入力デバイス
１６  ディスプレー
１７  プリンター
２０  スマートフォン
２１  カメラ
２２  入力部
２３  表示部
２６ａ  バーコード読取部
２６ｂ  臨床検査データ復元部
２６ｃ  データ登録部
２６ｄ  データ出力部
【図１】
2016035877.tif 000003
【図２】
2016035877.tif 000004
【図３】
2016035877.tif 000005
【図４】
2016035877.tif 000006
【図５】
2016035877.tif 000007
【図６】
2016035877.tif 000008
【図７】
2016035877.tif 000009
【図８】
2016035877.tif 000010
【図９】
2016035877.tif 000011
【図１０】
2016035877.tif 000012
【図１１】
2016035877.tif 000013
【図１２】
2016035877.tif 000014
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
医療機関に設置され、複数の受診者の臨床データを管理する管理装置と、受診者が所持する携帯端末とを含む臨床データ処理システムであって、
前記管理装置は、
特定の受診者に係る臨床データを含むバーコードを生成するバーコード生成部と、
前記バーコード生成部により生成された前記特定の受診者に係る臨床データのバーコードを出力する出力部を備え、
前記携帯端末は、
前記バーコードを撮像する撮像部と、
前記撮像部により撮像されたバーコードに含まれる臨床データに係る情報を復元処理する復元処理部と、
前記復元処理部により復元処理された臨床データに係る情報を前記携帯端末の表示部に表示制御する表示制御部と
を有することを特徴とする臨床データ処理システム。
【請求項２】
前記管理装置は、
複数の受診者に係る臨床データを記憶する記憶部と、
前記記憶部に記憶された複数の受診者に係る臨床データから、前記携帯端末を所持する特定の受診者に係る臨床データを選択処理する選択処理部と
をさらに有し、
前記バーコード生成部は、前記選択処理部により選択処理された特定の受診者に係る臨床データを含むバーコードを生成する
ことを特徴とする請求項１に記載の臨床データ処理システム。
【請求項３】
前記出力部は、前記バーコード生成部により生成された前記特定の受診者に係る臨床データのバーコードを所定の媒体に印字し、
前記撮像部は、前記所定の媒体に印字されたバーコードを撮像する
ことを特徴とする請求項１又は２に記載の臨床データ処理システム。
【請求項４】
前記携帯端末は、
前記復元処理部により復元処理された検査日ごとの臨床データを記憶する記憶部と、
前記記憶部に記憶された検査日ごとの臨床データに対応する図表データを生成する図表データ生成部とをさらに有し、
前記表示制御部は、
前記図表データ生成部により生成された時系列をなす図表データを前記携帯端末の表示部に表示制御する
ことを特徴とする請求項１〜３のいずれか一つに記載の臨床データ処理システム。
【請求項５】
前記携帯端末は、
前記記憶部に記憶された検査日ごとの臨床データから将来の予測データを生成する予測データ生成部をさらに有し、
前記図表データ生成部は、
前記記憶部に記憶された検査日ごとの臨床データ及び前記予測データ生成部により生成された予測データに対応する図表データを生成する
ことを特徴とする請求項４に記載の臨床データ処理システム。
【請求項６】
前記図表データ生成部は、
前記記憶部に記憶された検査日ごとの臨床データが複数の異なる医療機関によるものである場合に、医療機関ごとに異なる表示態様となる図表データを生成する
ことを特徴とする請求項４又は５に記載の臨床データ処理システム。
【請求項７】
前記管理装置は、
前記携帯端末の表示部に表示されたバーコードを撮像する第２の撮像部と、
前記第２の撮像部により撮像されたバーコードに含まれる臨床データに係る情報を復元処理する第２の復元処理部と、
前記第２の復元処理部により復元処理された他の医療機関の臨床データに係る情報を所定の表示部に表示制御する第２の表示制御部と
をさらに有することを特徴とする請求項１〜６のいずれか一つに記載の臨床データ処理システム。
【請求項８】
前記臨床データは、
赤血球数、白血球数、血小板数、総蛋白、血糖値、HbA1c、尿酸値、コレステロール、尿蛋白などの所見、心電図、肺機能データからなる群から選ばれる１以上である
ことを特徴とする請求項１〜７のいずれか一つに記載の臨床データ処理システム。
【請求項９】
医療機関に設置され、複数の受診者の臨床データを管理する管理装置によって生成された特定の受診者に係る臨床データを含むバーコードを撮像する撮像部と、
前記撮像部により撮像されたバーコードに含まれる臨床データに係る情報を復元処理する復元処理部と、
前記復元処理部により復元処理された臨床データに係る情報を前記携帯端末の表示部に表示制御する表示制御部と
を有することを特徴とする携帯端末。
【請求項１０】
医療機関に設置され、複数の受診者の臨床データを管理する管理装置と、受診者が所持する携帯端末とを含む臨床データ処理システムにおける臨床データ処理方法であって、
前記管理装置が、特定の受診者に係る臨床データを含むバーコードを生成するバーコード生成ステップと、
前記管理装置が、前記バーコード生成ステップにより生成された前記特定の受診者に係る臨床データのバーコードを出力する出力ステップと、
前記携帯端末の撮像部により、前記バーコードを撮像する撮像ステップと、
前記撮像ステップにより撮像されたバーコードに含まれる臨床データに係る情報を復元処理する復元処理ステップと、
前記復元処理ステップにより復元処理された臨床データに係る情報を前記携帯端末の表示部に表示制御する表示制御ステップと
を含んだことを特徴とする臨床データ処理方法。
【請求項１１】
医療機関に設置され、複数の受診者の臨床データを管理する管理装置によって生成された特定の受診者に係る臨床データを含むバーコードを携帯端末の撮像部により撮像する撮像手順と、
前記撮像手順により撮像されたバーコードに含まれる臨床データに係る情報を復元処理する復元処理手順と、
前記復元処理手順により復元処理された臨床データに係る情報を前記携帯端末の表示部に表示制御する表示制御手順と
をコンピュータに実行させることを特徴とする携帯端末用臨床データ処理プログラム。
【手続補正３】
【補正対象書類名】明細書
【補正対象項目名】０００１
【補正方法】変更
【補正の内容】
【０００１】
本発明は、受診者の臨床検査データ（臨床データ）を出力および入力する方法に関する。より詳しくは、医療機関に保存された個人の臨床検査データ（臨床データ）をバーコードを介し、受診者の携帯端末（スマートフォンまたはウェアラブル端末）へ取り込む臨床データ処理システム、携帯端末、臨床データ処理方法及び携帯端末用臨床データ処理プログラムに関する。
【手続補正４】
【補正対象書類名】明細書
【補正対象項目名】０００５
【補正方法】変更
【補正の内容】
【０００５】
本発明は、医療機関のコンピュータ内で、臨床検査データ（臨床データ）をバーコード化し、そのバーコードを紙に出力して受診者に手渡すシステム、および受診者がそのバーコードからスマートフォンまたはウェアラブル端末に臨床検査データを自ら取り込むシステムである。
または、医療機関のコンピュータ内で、臨床検査データ（臨床データ）をバーコード化し、そのバーコードをディスプレーに表示し、それを受診者がスマートフォンまたはウェアラブル端末に自ら取り込むシステムである。
具体的には、以下が挙げられる。
＜１＞
本発明は、医療機関に設置され、複数の受診者の臨床データを管理する管理装置と、受診者が所持する携帯端末とを含む臨床データ処理システムであって、前記管理装置は、特定の受診者に係る臨床データを含むバーコードを生成するバーコード生成部と、前記バーコード生成部により生成された前記特定の受診者に係る臨床データのバーコードを出力する出力部とを備え、前記携帯端末は、前記バーコードを撮像する撮像部と、前記撮像部により撮像されたバーコードに含まれる臨床データに係る情報を復元処理する復元処理部と、前記復元処理部により復元処理された臨床データに係る情報を前記携帯端末の表示部に表示制御する表示制御部とを有することを特徴とする。
＜２＞
また、本発明は、上記の発明において、前記管理装置は、複数の受診者に係る臨床データを記憶する記憶部と、前記記憶部に記憶された複数の受診者に係る臨床データから、前記携帯端末を所持する特定の受診者に係る臨床データを選択処理する選択処理部とをさらに有し、前記バーコード生成部は、前記選択処理部により選択処理された特定の受診者に係る臨床データを含むバーコードを生成することを特徴とする。
＜３＞
また、本発明は、上記の発明において、前記出力部は、前記バーコード生成部により生成された前記特定の受診者に係る臨床データのバーコードを所定の媒体に印字し、前記撮像部は、前記所定の媒体に印字されたバーコードを撮像することを特徴とする。
＜４＞
また、本発明は、上記の発明において、前記携帯端末は、前記復元処理部により復元処理された検査日ごとの臨床データを記憶する記憶部と、前記記憶部に記憶された検査日ごとの臨床データに対応する図表データを生成する図表データ生成部とをさらに有し、前記表示制御部は、前記図表データ生成部により生成された時系列をなす図表データを前記携帯端末の表示部に表示制御することを特徴とする。
＜５＞
また、本発明は、上記の発明において、前記携帯端末は、前記記憶部に記憶された検査日ごとの臨床データから将来の予測データを生成する予測データ生成部をさらに有し、前記図表データ生成部は、前記記憶部に記憶された検査日ごとの臨床データ及び前記予測データ生成部により生成された予測データに対応する図表データを生成することを特徴とする。
＜６＞
また、本発明は、上記の発明において、前記図表データ生成部は、前記記憶部に記憶された検査日ごとの臨床データが複数の異なる医療機関によるものである場合に、医療機関ごとに異なる表示態様となる図表データを生成することを特徴とする。
＜７＞
また、本発明は、上記の発明において、前記管理装置は、前記携帯端末の表示部に表示されたバーコードを撮像する第２の撮像部と、前記第２の撮像部により撮像されたバーコードに含まれる臨床データに係る情報を復元処理する第２の復元処理部と、前記第２の復元処理部により復元処理された他の医療機関の臨床データに係る情報を所定の表示部に表示制御する第２の表示制御部とをさらに有することを特徴とする。
＜８＞
また、本発明は、上記の発明において、前記臨床データは、赤血球数、白血球数、血小板数、総蛋白、血糖値、HbA1c、尿酸値、コレステロール、尿蛋白などの所見、心電図、肺機能データからなる群から選ばれる１以上であることを特徴とする。
＜９＞
また、本発明は、医療機関に設置され、複数の受診者の臨床データを管理する管理装置によって生成された特定の受診者に係る臨床データを含むバーコードを撮像する撮像部と、前記撮像部により撮像されたバーコードに含まれる臨床データに係る情報を復元処理する復元処理部と、前記復元処理部により復元処理された臨床データに係る情報を前記携帯端末の表示部に表示制御する表示制御部とを有することを特徴とする。
＜１０＞
また、本発明は、医療機関に設置され、複数の受診者の臨床データを管理する管理装置と、受診者が所持する携帯端末とを含む臨床データ処理システムにおける臨床データ処理方法であって、前記管理装置が、特定の受診者に係る臨床データを含むバーコードを生成するバーコード生成ステップと、前記管理装置が、前記バーコード生成ステップにより生成された前記特定の受診者に係る臨床データのバーコードを出力する出力ステップと、前記携帯端末の撮像部により、前記バーコードを撮像する撮像ステップと、前記撮像ステップにより撮像されたバーコードに含まれる臨床データに係る情報を復元処理する復元処理ステップと、前記復元処理ステップにより復元処理された臨床データに係る情報を前記携帯端末の表示部に表示制御する表示制御ステップとを含んだことを特徴とする。
＜１１＞
また、本発明は、医療機関に設置され、複数の受診者の臨床データを管理する管理装置によって生成された特定の受診者に係る臨床データを含むバーコードを携帯端末の撮像部により撮像する撮像手順と、前記撮像手順により撮像されたバーコードに含まれる臨床データに係る情報を復元処理する復元処理手順と、前記復元処理手順により復元処理された臨床データに係る情報を前記携帯端末の表示部に表示制御する表示制御手順とをコンピュータに実行させることを特徴とする。
【手続補正５】
【補正対象書類名】明細書
【補正対象項目名】００１２
【補正方法】変更
【補正の内容】
【００１２】
（臨床検査データ）
臨床検査データ（臨床データ）としては、赤血球数、白血球数、血小板数などの血液学的データ、総蛋白、血糖値、HbA1c、尿酸値、コレステロールなどの血液生化学データ、尿たんぱくなどの所見、心電図、肺機能データなどの生理学的検査データを含むが、画像データなどは含まない。
【国際調査報告】
2016035877.tif 000015
2016035877.tif 000016
2016035877.tif 000017
2016035877.tif 000018